(57)【要約】【課題】携帯送信機からの信号を受信機が受信するのに応じてブザーからアンサーバック音を出力させるとともにアクチュエータが作動状態となるようにしてブザーおよびアクチュエータの作動を制御する制御ユニットを含むロック装置がドアに設けられるキーレスエントリー装置において、実際にアンサーバック音を聞く場所で音量を確認しながらアンサーバック音の調節をすることを可能とする。【解決手段】ロック装置６に、制御ユニット１８に接続される音量調節スイッチ２０が設けられ、制御ユニット１８が、音量調節スイッチ２０がオンとなった状態で携帯送信機から受信機１１が受信した信号の態様に応じて、アクチュエータ１３を非作動状態としたままでブザー１７の出力音量を変化させる。【選択図】        図２
2015175205.tif 000002
【特許請求の範囲】
【請求項１】
ドア（Ｄ）の施錠状態および解錠状態を切替えるアクチュエータ（１３）と、出力音量を変化することを可能としたブザー（１７）と、携帯送信機（５）との間での無線信号の授受を可能とした受信機（１１）と、前記施錠状態および前記解錠状態を切替えるための前記携帯送信機（５）からの信号を前記受信機（１１）が受信するのに応じて前記ブザー（１７）からアンサーバック音を出力させるとともに前記アクチュエータ（１３）が作動状態となるようにして前記ブザー（１７）および前記アクチュエータ（１３）の作動を制御する制御ユニット（１８）とを含むロック装置（６）が、前記ドア（Ｄ）に設けられるキーレスエントリー装置において、前記ロック装置（６）に、前記制御ユニット（１８）に接続される音量調節スイッチ（２０）が設けられ、前記制御ユニット（１８）が、前記音量調節スイッチ（２０）がオンとなった状態で前記携帯送信機（５）から前記受信機（１１）が受信した信号の態様に応じて、前記アクチュエータ（１３）を非作動状態としたままで前記ブザー（１７）の出力音量を変化させることを特徴とするキーレスエントリー装置。
【請求項２】
前記携帯送信機（５）は、前記ドア（Ｄ）を施錠状態とする施錠信号を前記受信機（１１）に送信するための施錠ボタン（２１）と、前記ドア（Ｄ）を解錠状態とする解錠信号を前記受信機（１１）に送信するための解錠ボタン（２２）とを備え、前記制御ユニット（１８）は、前記音量調節スイッチ（２０）がオンとなった状態で前記施錠信号を前記受信機（１１）が受信するのに応じて前記出力音量を大小いずれか一方側に変化させるとともに前記解錠信号を前記受信機（１１）が受信するのに応じて前記出力音量を大小いずれか他方側に変化させるようにして前記ブザー（１７）の出力音量を制御することを特徴とする請求項１に記載のキーレスエントリー装置。
【発明の詳細な説明】
【技術分野】
【０００１】
本発明は、ドアの施錠状態および解錠状態を切替えるアクチュエータと、出力音量を変化することを可能としたブザーと、携帯送信機との間での無線信号の授受を可能とした受信機と、前記施錠状態および前記解錠状態を切替えるための前記携帯送信機からの信号を前記受信機が受信するのに応じて前記ブザーからアンサーバック音を出力させるとともに前記アクチュエータが作動状態となるようにして前記ブザーおよび前記アクチュエータの作動を制御する制御ユニットとを含むロック装置が、前記ドアに設けられるキーレスエントリー装置に関する。
【背景技術】
【０００２】
ロック装置に設けられる音量調節摘まみを操作することで、アンサーバック音の音量を調節するようにしたキーレスエントリー装置が、特許文献１で知られている。
【先行技術文献】
【特許文献】
【０００３】
【特許文献２】特許４７２１７３１号公報
【発明の概要】
【発明が解決しようとする課題】
【０００４】
ところが、上記特許文献１で開示されたものでは、実際にアンサーバック音を聞く場所で聞きながらアンサーバック音の調節をすることができない。
【０００５】
本発明は、かかる事情に鑑みてなされたものであり、実際にアンサーバック音を聞く場所で音量を確認しながらアンサーバック音の調節をすることを可能としたキーレスエントリー装置を提供することを目的とする。
【課題を解決するための手段】
【０００６】
上記目的を達成するために、本発明は、ドアの施錠状態および解錠状態を切替えるアクチュエータと、出力音量を変化することを可能としたブザーと、携帯送信機との間での無線信号の授受を可能とした受信機と、前記施錠状態および前記解錠状態を切替えるための前記携帯送信機からの信号を前記受信機が受信するのに応じて前記ブザーからアンサーバック音を出力させるとともに前記アクチュエータが作動状態となるようにして前記ブザーおよび前記アクチュエータの作動を制御する制御ユニットとを含むロック装置が、前記ドアに設けられるキーレスエントリー装置において、前記ロック装置に、前記制御ユニットに接続される音量調節スイッチが設けられ、前記制御ユニットが、前記音量調節スイッチがオンとなった状態での前記携帯送信機から前記受信機が受信した信号の態様に応じて、前記アクチュエータを非作動状態としたままで前記ブザーの出力音量を変化させることを第１の特徴とする。
【０００７】
また本発明は、第１の特徴の構成に加えて、前記携帯送信機は、前記ドアを施錠状態とする施錠信号を前記受信機に送信するための施錠ボタンと、前記ドアを解錠状態とする解錠信号を前記受信機に送信するための解錠ボタンとを備え、前記制御ユニットは、前記音量調節スイッチがオンとなった状態で前記施錠信号を前記受信機が受信するのに応じて前記出力音量を大小いずれか一方側に変化させるとともに前記解錠信号を前記受信機が受信するのに応じて前記出力音量を大小いずれか他方側に変化させるようにして前記ブザーの出力音量を制御することを第２の特徴とする。
【発明の効果】
【０００８】
本発明の第１の特徴によれば、ロック装置に設けられる音量調節スイッチをオンとした状態で、携帯送信機から受信機が受信した信号の態様に応じてブザーの出力音量が変化するので、ロック装置から離れた位置で音量調節をすることができ、実際にアンサーバック音を聞く場所で音量を確認しながらアンサーバック音の調節をすることができる。
【０００９】
また本発明の第２の特徴によれば、携帯送信機が備える施錠ボタンおよび解錠ボタンを、音量調節ボタンとして利用することが可能となる。
【図面の簡単な説明】
【００１０】
【図１】住宅用ドアの一部を示す斜視図である。
【図２】ロック装置の一部構成を示すブロック図である。
【図３】携帯送信機の操作に伴うブザーの出力音量の変化を示すタイミングチャートである。
【発明を実施するための形態】
【００１１】
以下、本発明の実施の形態について図１〜図３を参照しながら説明すると、先ず図１において、たとえば住宅用のドアＤの内面側には、携帯送信機５からの無線信号の送信に応じて作動するロック装置６が設けられており、このロック装置６は、前記ドアＤの端縁に取付けられた化粧カバー７からデッドボルト８を出没させることで該ドアＤの施錠状態および解錠状態を切替えるように構成される。
【００１２】
図２を併せて参照して、前記ロック装置６のケーシング９は前記ドアＤの内面側に取付けられており、このケーシング９内には、ボタン操作による前記携帯送信機５からの施錠および解錠を指示する無線信号を受信するアンテナ１０を有する受信機１１と、電動モータ１２を有するとともに前記ロック装置６の施錠状態および解錠状態を切換えるアクチュエータ１３と、前記電動モータ１２を駆動するためのモータドライブ回路１４と、前記ロック装置６の施錠状態を検出する施錠状態検出スイッチ１５と、前記ロック装置６の解除状態を検出する解除状態検出スイッチ１６と、出力音量を変化することを可能としたブザー１７と、前記受信機１１、前記モータドライブ回路１４、前記施錠状態検出スイッチ１５および前記ブザー１７が接続される制御ユニット１８と、該制御ユニット１８および前記モータドライブ回路１４に電力を供給するための電池１９とが収容される。
【００１３】
前記制御ユニット１８は、前記ロック装置６の施錠状態および解錠状態を切替えるための前記携帯送信機５からの信号を前記受信機１１が受信するのに応じて、前記ブザー１７からアンサーバック音を出力させるとともに前記アクチュエータ１３が作動状態となるようにして、前記ブザー１７および前記アクチュエータ１３の電動モータ１２に接続されるモータドライブ回路１４を制御する。
【００１４】
また前記ケーシング９には、たとえば該ケーシング９に開閉可能に取付けられる電池カバー（図示せず）で覆われるようにして音量調節スイッチ２０が外部からの操作を可能として設けられる。この音量調節スイッチ２０は前記制御ユニット１８に接続されており、前記制御ユニット１８は、前記音量調節スイッチ２０がオンとなった状態では、前記アクチュエータ１３の電動モータ１２を非作動状態としたままで、前記携帯送信機５から前記受信機１１が受信した信号の態様に応じて前記ブザー１７の出力音量を変化させる。
【００１５】
図１に注目して、前記携帯送信機５は、前記ドアＤを施錠状態とする施錠信号を前記受信機１１に送信するための施錠ボタン２１と、前記ドアを解錠状態とする解錠信号を前記受信機１１に送信するための解錠ボタン２２とを備えている。また前記制御ユニット１８は、前記音量調節スイッチ２０がオンとなった状態で前記施錠信号を前記受信機１１が受信するのに応じて前記ブザー１７の出力音量を大小いずれか一方側に変化させるとともに前記解錠信号を前記受信機１１が受信するのに応じて前記ブザー１７の出力音量を大小いずれか他方側に変化させるようにして前記ブザー１７の出力音量を制御するものであり、この実施の形態では、施錠信号を前記受信機１１が受信するのに応じて前記制御ユニット１８は前記ブザー１７の出力音量を施錠信号の受信毎に段階的に小さくし、解錠信号を前記受信機１１が受信するのに応じて前記制御ユニット１８は解錠信号の受信毎に段階的に大きくする。
【００１６】
このような制御ユニット１８による制御について図３を参照しながら説明すると、音量調節スイッチ２０がオフ状態であるときの時刻ｔ１で携帯送信機５の解錠ボタン２２を押すと、携帯送信機５から第１の所定時間Ｔ１継続して送信される解錠信号を受信機１１が受信するのに応じて、前記時刻ｔ１から前記第１の所定時間Ｔ１が経過するまで前記電動モータ１２が作動状態となり、前記時刻ｔ１から前記第１の所定時間Ｔ１が経過した時刻ｔ２で、前記電動モータ１２の作動が停止するとともに、前記ブザー１７が、既に設定された状態にある音量レベルたとえば「５」で第２の所定時間Ｔ２だけ継続するアンサーバック音を出力する。
【００１７】
次いで時刻ｔ３で音量調節スイッチ２０がオン状態になった後では、その後の時刻ｔ４で携帯送信機５の解錠ボタン２２を押すと、携帯送信機５から第１の所定時間Ｔ１継続して送信される解錠信号を受信機１１が受信するのに応じて、電動モータ１２が停止状態のままで、前記時刻ｔ４から前記第１の所定時間Ｔ１が経過した時刻ｔ５において、前記ブザー１７が、既に設定された状態にある音量レベルたとえば「５」よりも高いレベルたとえば「６」で第２の所定時間Ｔ２だけ継続するアンサーバック音を出力する。
【００１８】
すなわち音量調節スイッチ２０がオン状態になったときに受信機１１が解錠信号を受信すると前記ブザー１７の出力音量が１段階大きくなり、これは受信機１１が解錠信号を受信する毎に繰り返され、前記ブザー１７の出力音量は段階的に大きくなる。
【００１９】
また音量調節スイッチ２０がオン状態になった後の時刻ｔ６で携帯送信機５の施錠ボタン２１を押すと、携帯送信機５から第１の所定時間Ｔ１継続して送信される施錠信号を受信機１１が受信するのに応じて、電動モータ１２が停止状態のままで、前記時刻ｔ６から前記第１の所定時間Ｔ１が経過した時刻ｔ７において、前記ブザー１７が、既に設定された状態にある音量レベルたとえば「６」よりも低いレベルたとえば「５」で第２の所定時間Ｔ２だけ継続するアンサーバック音を出力する。
【００２０】
すなわち音量調節スイッチ２０がオン状態になったときに受信機１１が施錠信号を受信すると前記ブザー１７の出力音量が１段階小さくなり、これは受信機１１が施錠信号を受信する毎に繰り返され、前記ブザー１７の出力音量は段階的に小さくなる。
【００２１】
次にこの実施の形態の作用について説明すると、ドアＤの施錠状態および解錠状態を切替えるアクチュエータ１３と、出力音量を変化することを可能としたブザー１７と、携帯送信機５との間での無線信号の授受を可能とした受信機１１と、前記施錠状態および前記解錠状態を切替えるための前記携帯送信機５からの信号を前記受信機１１が受信するのに応じて前記ブザー１７からアンサーバック音を出力させるとともに前記アクチュエータ１３が作動状態となるようにして前記ブザー１７および前記アクチュエータ１３の作動を制御する制御ユニット１８とを含むロック装置６に、前記制御ユニット１８に接続される音量調節スイッチ２０が設けられ、前記制御ユニット１８が、前記音量調節スイッチ２０がオンとなった状態での前記携帯送信機５から前記受信機１１が受信した信号の態様に応じて、前記アクチュエータ１３を非作動状態としたままで前記ブザー１７の出力音量を変化させるので、前記ロック装置６すなわち前記ドアＤから離れた位置で音量調節をすることができ、実際にアンサーバック音を聞く場所で音量を確認しながらアンサーバック音の調節をすることができる。
【００２２】
また携帯送信機５は、前記ドアＤを施錠状態とする施錠信号を前記受信機１１に送信するための施錠ボタン２１と、前記ドアＤを解錠状態とする解錠信号を前記受信機１１に送信するための解錠ボタン２２とを備えており、前記制御ユニット１８は、前記音量調節スイッチ２０がオンとなった状態で前記携帯送信機５から前記受信機１１前記施錠信号を前記受信機１１が受信するのに応じて前記出力音量を大小いずれか一方側に変化させるとともに前記解錠信号を前記受信機１１が受信するのに応じて前記出力音量を大小いずれか他方側に変化させるようにして前記ブザー１７の出力音量を制御するので、携帯送信機５が備える施錠ボタン２１および解錠ボタン２２を、音量調節ボタンとして利用することが可能となる。
【００２３】
以上、本発明の実施の形態について説明したが、本発明は上記実施の形態に限定されるものではなく、特許請求の範囲に記載された本発明を逸脱することなく種々の設計変更を行うことが可能である。
【００２４】
たとえば上記実施の形態では、施錠信号を受信機１１が受信するのに応じてブザー１７の出力音量を小さくし、解錠信号を受信機１１が受信するのに応じてブザー１７の出力音量を大きくするようにしたが、それとは逆に、施錠信号を受信機１１が受信するのに応じてブザー１７の出力音量を大きくし、解錠信号を受信機１１が受信するのに応じてブザー１７の出力音量を小さくするようにしてもよい。
【００２５】
また携帯送信機５が備える施錠ボタン２１および解錠ボタン２２の一方を押すたびにブザー１７の出力音量を大きくし、その出力音量が最大となったら逆に小さくなるように出力音量を往復させて設定するようにすることも可能である。
【００２６】
さらに本発明は、住宅用ドアのキーレスエントリー装置に限定されるものではなく、車両用ドア等の他のドアに関連して広く実施することが可能である。
【符号の説明】
【００２７】
５・・・携帯送信機
６・・・ロック装置
１１・・・受信機
１３・・・アクチュエータ
１７・・・ブザー
１８・・・制御ユニット
２０・・・音量調節スイッチ
２１・・・施錠ボタン
２２・・・解錠ボタン
Ｄ・・・ドア
【図１】
2015175205.tif 000003
【図２】
2015175205.tif 000004
【図３】
2015175205.tif 000005